(57)【要約】【課題】入浴後における湯冷めおよびのぼせの少なくとも一方を抑制することで、入浴後における使用者の快適性をより高める。【解決手段】空調システムは、脱衣室１００の空気調和を行う脱衣室空調機１１０と、人に関する物理量を検出する検出手段と、脱衣室空調機１１０を制御する制御手段と、を備える。検出手段は、少なくとも、基準時点から入浴後に人が脱衣室１００にいる時点までの上記の物理量の変化量を検出する。制御手段は、検出手段が検出した上記の変化量に基づいて、湯冷めおよびのぼせの少なくとも一方を抑制するように脱衣室空調機１１０を制御する。【選択図】図１
2019203640.tif 000002
【特許請求の範囲】
【請求項１】
脱衣室の空気調和を行う脱衣室空調機と、
人に関する物理量を検出する検出手段と、
前記脱衣室空調機を制御する制御手段と、
を備え、
前記検出手段は、少なくとも、基準時点から入浴後に人が脱衣室にいる時点までの前記物理量の変化量を検出し、
前記制御手段は、前記検出手段が検出した前記変化量に基づいて、湯冷めおよびのぼせの少なくとも一方を抑制するように前記脱衣室空調機を制御する空調システム。
【請求項２】
前記検出手段は、皮膚温度、心拍数および呼吸数の少なくとも１つを検出する請求項１に記載の空調システム。
【請求項３】
前記検出手段は、入浴後に脱衣室にいる人の深部体温の推定値を算出し、
前記制御手段は、前記推定値に基づいて前記脱衣室空調機を制御する請求項１または請求項２に記載の空調システム。
【請求項４】
前記検出手段は、単位時間当たりの前記変化量を検出し、
前記制御手段は、前記単位時間当たりの前記変化量に基づいて前記脱衣室空調機を制御する請求項１から請求項３の何れか１項に記載の空調システム。
【請求項５】
前記制御手段には、状態判定手段および空調制御手段が含まれ、
前記状態判定手段は、前記検出手段が検出した前記変化量に基づいて、脱衣室にいる人の状態を判定し、
前記空調制御手段は、前記状態判定手段の判定結果に基づいて前記脱衣室空調機を制御する請求項１から請求項４の何れか１項に記載の空調システム。
【請求項６】
前記物理量には、少なくとも第１物理量が含まれ、当該第１物理量は、皮膚温度、心拍数および呼吸数の何れかであり、
前記変化量は、入浴後に人が脱衣室にいる時点での前記第１物理量から当該人が浴室にいた時点での前記第１物理量を減じた値であり、
前記制御手段は、前記変化量が閾値以上の正の値である場合、前記脱衣室空調機に冷房運転および送風運転の少なくとも一方を行わせる請求項１から請求項５の何れか１項に記載の空調システム。
【請求項７】
前記物理量には、少なくとも第１物理量が含まれ、当該第１物理量は、皮膚温度、心拍数および呼吸数の何れかであり、
前記変化量は、入浴後に人が脱衣室にいる時点での前記第１物理量から当該人が浴室にいた時点での前記第１物理量を減じた値であり、
前記制御手段は、前記変化量が閾値以下の負の値である場合、前記脱衣室空調機に暖房運転を行わせる請求項１から請求項５の何れか１項に記載の空調システム。
【請求項８】
浴槽が設置された浴室には使用者の足元に冷水または温水を選択的に放水する放水手段が設けられ、
前記検出手段は、浴室にいる人の足元の温度を検出し、
前記放水手段は、前記検出手段によって検出された前記足元の温度が閾値以上の場合には冷水を放水し、前記検出手段によって検出された前記足元の温度が閾値以下の場合には温水を放水する請求項１から請求項５の何れか１項に記載の空調システム。
【請求項９】
前記検出手段は、脱衣室にいる人の足元の温度を検出し、
前記制御手段は、前記検出手段によって検出された前記足元の温度が閾値以下である場合、前記脱衣室空調機に、脱衣室の床付近へ温風を送風させる請求項１から請求項５の何れか１項に記載の空調システム。
【請求項１０】
前記検出手段は、脱衣室にいる人に関する物理量を検出する第１検出部と、浴室にいる人に関する物理量を検出する第２検出部と、を有する請求項１から請求項５の何れか１項に記載の空調システム。
【請求項１１】
前記検出手段は、脱衣室にいる人に関する物理量を検出する第１検出部と、浴室にいる人に関する物理量を検出する第２検出部と、居間にいる人に関する物理量を検出する第３検出部と、を有する請求項１から請求項５の何れか１項に記載の空調システム。
【請求項１２】
前記制御手段は、居間に設置された空気調和装置を前記脱衣室空調機に連動させる請求項１から請求項１１の何れか１項に記載の空調システム。
【発明の詳細な説明】
【技術分野】
【０００１】
本発明は、空調システムに関するものである。
【背景技術】
【０００２】
特許文献１に、浴室システムが記載されている。特許文献１に記載されたこの浴室システムは、入浴者の頭部に向けて送風可能な浴室乾燥機と、浴槽内の入浴者の状態に関係するパラメータを検出する入浴状態センサと、を備える。特許文献１に記載の技術において、浴室乾燥機は、入浴状態センサの出力に基づいて、入浴中の入浴者の頭部を冷却するように送風を行う。これにより、入浴中における入浴者ののぼせが抑制される。
【先行技術文献】
【特許文献】
【０００３】
【特許文献１】特開２０１５−３９５９８号公報
【発明の概要】
【発明が解決しようとする課題】
【０００４】
特許文献１に記載された技術のように入浴中の入浴者の頭部が冷却されたとしても、入浴者の深部体温の上昇を十分に抑制することは難しい。このため、特許文献１に記載の技術において、使用者は、入浴中は快適に感じたものの、入浴後にのぼせてしまうことがある。また、入浴後にのぼせてしまった人は、汗冷えによって結果的に湯冷めをしてしまうこともある。また、特許文献１に記載の技術では、入浴者が十分に温まっていなかった場合における湯冷めを抑制することもできない。すなわち、上記の特許文献１に開示された従来技術においては、入浴後における湯冷めおよびのぼせのどちらも抑制することができず、入浴後における使用者の快適性が損なわれてしまう。
【０００５】
本発明は、上記のような課題を解決するためになされたものである。本発明の目的は、入浴後における湯冷めおよびのぼせの少なくとも一方を抑制することで、入浴後における使用者の快適性をより高めることである。
【課題を解決するための手段】
【０００６】
本発明に係る空調システムは、脱衣室の空気調和を行う脱衣室空調機と、人に関する物理量を検出する検出手段と、脱衣室空調機を制御する制御手段と、を備える。検出手段は、少なくとも、基準時点から入浴後に人が脱衣室にいる時点までの上記の物理量の変化量を検出する。制御手段は、検出手段が検出した上記の変化量に基づいて、湯冷めおよびのぼせの少なくとも一方を抑制するように脱衣室空調機を制御する。
【発明の効果】
【０００７】
発明に係る空調システムによれば、入浴後における湯冷めおよびのぼせの少なくとも一方を抑制することができる。これにより、入浴後における使用者の快適性がより高くなる。
【図面の簡単な説明】
【０００８】
【図１】実施の形態１の空調システムを構成する各要素の配置の一例を示す模式図である。
【図２】実施の形態１の空調システムの制御系統の一例を示す機能ブロック図である。
【図３】実施の形態１の制御ユニットの機能を実現する構成の一例を示す図である。
【図４】判定部による判定および制御部による制御の実施例を示す図である。
【図５】深部体温推定値と湯温と入浴時間との関係の一例を示す図である。
【図６】実施の形態１の空調システムの動作例を示すフローチャートである。
【発明を実施するための形態】
【０００９】
以下、添付の図面を参照して、本発明を実施するための形態について説明する。各図における同一の符号は、同一の部分または相当する部分を示す。また、本開示では、重複する説明については、適宜に簡略化または省略する。なお、本発明は、その趣旨を逸脱しない範囲において、以下の各実施の形態によって開示される構成のあらゆる変形およびあらゆる組み合わせを含み得るものである。
【００１０】
実施の形態１．
図１は、実施の形態１の空調システムを構成する各要素の配置の一例を示す模式図である。また、図２は、実施の形態１の空調システムの制御系統の一例を示す機能ブロック図である。なお、本開示の主旨を明確かつ簡潔に示すため、図１においては、図２に記載された構成要素の一部の図示を省略している。また、図２においては、図１に記載された構成要素の一部の図示を省略している。
【００１１】
本実施の形態の空調システムは、図１および図２に示すように、脱衣室１００に設置された脱衣室空調機１１０を備える。脱衣室空調機１１０は、脱衣室１００の空気調和を行う空気調和装置である。脱衣室空調機１１０は、例えば、ヒートポンプユニットまたは電気式の加熱温水器等を用いて、空気の温度を調節する。脱衣室空調機１１０は、温風を吹き出す暖房運転、冷風を吹き出す冷房運転および常温の風を吹き出す送風運転等を実行可能である。
【００１２】
図１に示すように、脱衣室空調機１１０には、生体センサ１１１が設けられている。生体センサ１１１は、人に関する物理量を非接触で検出することができるセンサである。生体センサ１１１は、例えば、超音波、マイクロ波および赤外線の少なくとも１つを利用することで、人に関する物理量を非接触で検出する。
【００１３】
脱衣室空調機１１０に設けられた生体センサ１１１は、脱衣室１００にいる人に関する物理量を検出する。本実施の形態の生体センサ１１１は、脱衣室１００にいる人に関する物理量を検出する第１検出部の一例である。なお、この第１検出部の一例である生体センサ１１１は、脱衣室空調機１１０とは別の場所に設けられていてもよい。例えば、生体センサ１１１は、脱衣室１００の壁等に設置されていてもよい。また、生体センサ１１１は、脱衣室空調機１１０に外付けされていてもよいし、脱衣室空調機１１０に内蔵されていてもよい。第１検出部の一例である生体センサ１１１は、脱衣室１００にいる人に関する物理量を検出可能であればよい。
【００１４】
生体センサ１１１が検出する「人に関する物理量」とは、脱衣室１００にいる使用者の状態に関係するパラメータを意味している。生体センサ１１１は、脱衣室１００にいる使用者の状態を判定するためのパラメータを検出するものである。例えば、生体センサ１１１は、例えば、皮膚温度、心拍数、呼吸数および血圧の少なくとも１つを検出する。換言すると、生体センサ１１１が検出する物理量には、一例として、皮膚温度、心拍数、呼吸数および血圧の少なくとも１つが含まれている。
【００１５】
生体センサ１１１は、例えば赤外線センサをアレイ状に配置させたサーモパイルを含む。サーモパイルは、マトリクス状に表面温度を検出することができる。サーモパイルを含む生体センサ１１１は、人の位置および人の動きを推定するためのパラメータを検出することができる。また、例えば、マイクロ波を利用した生体センサ１１１は、心拍数および呼吸数の推定値を検出することができる。
【００１６】
脱衣室空調機１１０に設けられた生体センサ１１１は、当該脱衣室空調機１１０と通信を行う。一例として、脱衣室空調機１１０に内蔵された制御装置は、生体センサ１１１の検出結果に基づいて、脱衣室空調機１１０の動作を制御する。
【００１７】
また、図１および図２に示すように、本実施の形態の空調システムは、一例として、浴室２００に設置された浴室空調機２１０を更に備えている。浴室２００は、使用者が入浴を行う部屋である。浴室２００には、浴槽２２０が設置されている。浴室空調機２１０は、この浴室２００の空気調和を行う装置である。浴室空調機２１０は、例えば、図１に示すように、浴槽２２０の上方に配置されている。
【００１８】
本実施の形態において、浴室空調機２１０には、生体センサ２１１が設けられている。この生体センサ２１１は、脱衣室空調機１１０に設けられた生体センサ１１１と同様、人に関する物理量を非接触で検出することができるセンサである。
【００１９】
浴室空調機２１０に設けられた生体センサ２１１は、浴室２００にいる人に関する物理量を検出する。本実施の形態の生体センサ２１１は、浴室にいる人に関する物理量を検出する第２検出部の一例である。なお、第２検出部の一例である生体センサ２１１は、浴室空調機２１０とは別の場所に設けられていてもよい。例えば、生体センサ２１１は、浴室２００の壁等に設置されていてもよい。また、生体センサ２１１は、浴室空調機２１０に外付けされていてもよいし、浴室空調機２１０に内蔵されていてもよい。第２検出部の一例である生体センサ２１１は、浴室２００にいる人に関する物理量を検出可能であればよい。
【００２０】
生体センサ２１１が検出する「人に関する物理量」とは、浴室２００にいる使用者の状態に関係するパラメータを意味している。生体センサ２１１は、浴室にいる使用者の状態を判定するためのパラメータを検出するものである。生体センサ２１１は、例えば、浴槽２２０内の入浴者の状態を判定するためのパラメータを検出する。また、生体センサ２１１は、例えば、浴槽２２０から出た入浴直後のタイミングにおける使用者の状態を判定するためのパラメータを検出する。生体センサ２１１は、生体センサ１１１と同様、例えば、皮膚温度、心拍数、呼吸数および血圧の少なくとも１つを検出する。
【００２１】
浴室空調機２１０に設けられた生体センサ２１１は、当該浴室空調機２１０と通信を行う。一例として、浴室空調機２１０に内蔵された制御装置は、生体センサ２１１の検出結果に基づいて、浴室空調機２１０の動作を制御する。
【００２２】
上記の浴室空調機２１０には、例えば、浴室２００の乾燥を行う浴室乾燥装置等が該当する。浴室空調機２１０は、例えば、図１に示すように、浴室２００の天井部分に設置される。浴室空調機２１０は、温風を吹き出す暖房運転および常温の風を吹き出す送風運転等を実行可能である。また、浴室空調機２１０は、浴室２００の内部から外部への排気を行う機能を有している。浴室空調機２１０は、例えば、送風を行うためのファン２１２と、浴室２００へ風を吹き出すための吹出口２１３と、上記の排気を行うための排気口２１４を、を有している。なお、浴室空調機２１０は、例えば、冷風を吹き出す機能を有していてもよい。
【００２３】
浴室２００に設置された浴槽２２０には、例えば、図１に示すように、追い焚き配管２２２を介して、給湯装置２２１が接続されている。給湯装置２２１は、湯を供給する装置である。給湯装置２２１は、例えば、ヒートポンプユニットまたは電気式温水器等を有している。追い焚き配管２２２は、浴槽２２０内の水を、当該浴槽２２０と給湯装置２２１とに循環させるための配管である。追い焚き配管２２２には、例えば、図示しないポンプが設けられている。このポンプが駆動することで、浴槽２２０内と、追い焚き配管２２２内と、給湯装置２２１内とを、水が循環する。
【００２４】
給湯装置２２１は、追い焚き２２２を介して浴槽２２０から当該給湯装置２２１へ導かれた水を、加熱する。給湯装置２２１は、水を、使用者によって設定された設定温度になるように加熱する。給湯装置２２１は、加熱した水を、追い焚き２２２を介して、浴槽２２０へ供給する。なお、給湯装置２２１は、浴槽２２０から当該給湯装置２２１へ導かれた水を、加熱した後に一度貯留してもよい。給湯装置２２１は、当該給湯装置２２１に貯留された高温の水、すなわち湯を浴槽２２０へ供給してもよい。給湯装置２２１は、即湯式の装置であってもよいし、貯湯式の装置であってもよい。
【００２５】
また、浴室２００には、例えば、操作装置４００が設けられている。この操作装置４００は、使用者が給湯装置２２１を操作するためのものである。一例として、操作装置４００は、浴室２００の壁に取り付けられている。なお、操作装置４００は、浴室２００の壁から着脱自在な無線通信端末等であってもよい。
【００２６】
浴室２００に設けられた操作装置４００は、無線または有線によって、給湯装置２２１と接続されている。一例として、この操作装置４００は、給湯装置２２１と互いに通信を行う。操作装置４００は、例えば、給湯装置２２１の状態を表示する液晶画面等の表示部と、給湯装置２２１を操作するためのボタン等の操作部と、を有している。
【００２７】
浴室２００に設けられた操作装置４００は、浴室空調機２１０を操作するための構成部品および機能を有していてもよい。すなわち、使用者は、操作装置４００によって浴室空調機２１０を操作してもよい。一例として、浴室２００に設けられた操作装置４００は、浴室空調機２１０と相互に通信を行ってもよい。なお、使用者が浴室空調機２１０を操作するための装置は、操作装置４００とは別に設けられていてもよい。
【００２８】
図１に示すように、本実施の形態において、脱衣室１００は、浴室２００に隣接している。浴室２００での入浴を終えた使用者は、当該浴室２００を出て脱衣室１００へ移動する。脱衣室１００にいる人に関する物理量を検出可能に構成された生体センサ１１１は、浴室２００を出て脱衣室１００へ移動した使用者の状態に関係するパラメータを検出することができる。生体センサ１１１は、入浴後の使用者の状態を判定するためのパラメータを検出する。また、生体センサ１１１は、浴室２００に入る前、すなわち入浴前の使用者の状態に関係するパラメータを検出することもできる。
【００２９】
本実施の形態の空調システムは、入浴後の使用者の状態の判定を、上記の生体センサ１１１が検出したパラメータおよび上記の生体センサ２１１が検出したパラメータの少なくとも一方に基づいて実行する機能を有するシステムである。本実施の形態の空調システムを構成する脱衣室空調機１１０は、入浴後の使用者の状態の判定結果に基づいて制御される。入浴後の使用者の状態の判定および判定結果に基づく脱衣室空調機１１０の制御についてのより詳細な説明は、後述する。
【００３０】
また、本実施の形態の空調システムは、一例として、図１および図２に示すように、居間３００に設置された居間空調機３１０を更に備えている。居間３００は、例えば、図１に示すように、他の部屋または廊下等を介して、脱衣室１００につながっている。居間空調機３１０は、居間３００の空気調和を行う空気調和装置である。居間空調機３１０は、脱衣室空調機１１０と同様、温風を吹き出す暖房運転、冷風を吹き出す冷房運転および常温の風を吹き出す送風運転等を実行可能である。
【００３１】
図１に示すように、居間空調機３１０には、生体センサ３１１が設けられている。生体センサ３１１は、生体センサ１１１および生体センサ２１１と同様、人に関する物理量を非接触で検出することができるセンサである。
【００３２】
居間空調機３１０に設けられた生体センサ３１１は、居間３００にいる人に関する物理量を検出する。本実施の形態の生体センサ３１１は、居間３００にいる人に関する物理量を検出する第３検出部の一例である。なお、第３検出部の一例である生体センサ３１１は、居間空調機３１０とは別の場所に設けられていてもよい。例えば、生体センサ３１１は、居間３００の壁等に設置されていてもよい。また、生体センサ３１１は、居間空調機３１０に外付けされていてもよいし、居間空調機３１０に内蔵されていてもよい。第３検出部の一例である生体センサ３１１は、居間３００にいる人に関する物理量を検出可能であればよい。
【００３３】
生体センサ３１１が検出する「人に関する物理量」とは、居間３００にいる使用者の状態に関係するパラメータを意味している。生体センサ３１１は、居間にいる使用者の状態を判定するためのパラメータを検出するものである。生体センサ３１１は、生体センサ１１１および生体センサ２１１と同様、例えば、皮膚温度、心拍数、呼吸数および血圧の少なくとも１つを検出する。
【００３４】
上記したように、生体センサ３１１は、居間３００にいる使用者の状態に関係するパラメータを検出する。生体センサ３１１は、脱衣室１００および浴室２００に入る前、すなわち入浴前の使用者の状態に関係するパラメータを検出することができる。また、生体センサ３１１は、脱衣室１００および浴室２００を出た後、すなわち入浴後の使用者の状態に関係するパラメータを検出することもできる。
【００３５】
居間空調機３１０に設けられた生体センサ３１１は、当該居間空調機３１０と通信を行う。一例として、居間空調機３１０に内蔵された制御装置は、生体センサ３１１の検出結果に基づいて、居間空調機３１０の動作を制御する。
【００３６】
また、居間３００には、例えば、操作装置４００が設けられている。一例として、この操作装置４００は、居間３００の壁に取り付けられている。この操作装置４００は、居間３００の壁から着脱自在な無線通信端末等であってもよい。居間３００に設けられた操作装置４００は、無線または有線によって、給湯装置２２１と接続されている。使用者は、居間３００に設けられた操作装置４００によって、居間３００にいながら給湯装置２２１を操作することができる。
【００３７】
居間３００に設けられた操作装置４００は、居間空調機３１０を操作するための構成部品および機能を有していてもよい。また、居間３００に設けられた操作装置４００は、脱衣室空調機１１０を操作するための構成部品および機能を有していてもよい。一例として、居間３００に設けられた操作装置４００は、居間空調機３１０および脱衣室空調機１１０と相互に通信を行ってもよい。使用者は、操作装置４００によって居間空調機３１０および脱衣室空調機１１０を操作してもよい。
【００３８】
なお、使用者が居間空調機３１０を操作するための装置は、操作装置４００とは別に設けられていてもよい。同様に、使用者が脱衣室空調機１１０を操作するための装置は、操作装置４００とは別に設けられていてもよい。脱衣室空調機１１０を操作するための装置は、例えば、脱衣室１００に設けられてもよい。また、浴室空調機２１０、居間空調機３１０および給湯装置は、脱衣室１００に設けられたこの装置によって操作されるように構成されてもよい。
【００３９】
上記のように構成された本実施の形態の空調システムの動作は、制御ユニット５００によって制御される。図１においては、制御ユニット５００の図示を省略している。制御ユニット５００は、少なくとも、脱衣室空調機１１０を制御する機能を有している。制御ユニット５００は、図２に示すように、脱衣室空調機１１０に接続される。また、一例として、制御ユニット５００は、浴室空調機２１０および居間空調機３１０にも接続される。本実施の形態において、制御ユニット５００は、浴室空調機２１０および居間空調機３１０を制御する機能を有している。
【００４０】
一例として、制御ユニット５００は、脱衣室空調機１１０を介して、生体センサ１１１が検出したパラメータの情報を取得する。また、制御ユニット５００は、浴室空調機２１０を介して、生体センサ２１１が検出したパラメータの情報を取得する。制御ユニット５００は、居間空調機３１０を介して、生体センサ３１１が検出したパラメータの情報を取得する。
【００４１】
なお、制御ユニット５００は、脱衣室空調機１１０を介さずに生体センサ１１１に接続していてもよい。制御ユニット５００は、生体センサ１１１が検出したパラメータの情報を、当該生体センサ１１１から直接的に取得してもよい。同様に、制御ユニット５００は、浴室空調機２１０を介さずに生体センサ２１１に接続していてもよい。制御ユニット５００は、生体センサ２１１が検出したパラメータの情報を、当該生体センサ２１１から直接的に取得してもよい。また、制御ユニット５００は、居間空調機３１０を介さずに生体センサ３１１に接続していてもよい。制御ユニット５００は、生体センサ３１１が検出したパラメータの情報を、当該生体センサ３１１から直接的に取得してもよい。
【００４２】
本実施の形態において、制御ユニット５００は、生体センサ１１１が検出したパラメータ、生体センサ２１１が検出したパラメータおよび生体センサ３１１が検出したパラメータに応じた動作を行う。
【００４３】
一例として、制御ユニット５００は、図２に示すように、演算部５０１および記憶部５０２を有する。演算部５０１は、各種の演算を行う機能を有するものである。記憶部５０２は各種の情報を記憶する機能を有するものである。記憶部５０２には、例えば、演算部５０１が各種の演算を行うためのアルゴリズムが、プログラムとして記憶される。
【００４４】
また、記憶部５０２には、生体センサ１１１が検出したパラメータ、生体センサ２１１が検出したパラメータおよび生体センサ３１１が検出したパラメータの情報が記憶される。本実施の形態において、演算部５０１は、生体センサ１１１が検出したパラメータ、生体センサ２１１が検出したパラメータおよび生体センサ３１１が検出したパラメータから、各種の演算を行う。
【００４５】
本実施の形態において、演算部５０１は、少なくとも、人に関する物理量の変化量を算出する機能を有している。より具体的には、演算部５０１は、ある特定の基準時点から入浴後に脱衣室１００に人がいる時点までの、当該人に関する物理量の変化量を算出する。なお、以下の説明においては、記載を簡潔にするため、上記した「人に関する物理量の変化量」を、単に「変化量」とも称することがある。
【００４６】
上記の変化量は、入浴後の使用者の状態に関係するパラメータである。すなわち、演算部５０１は、入浴後の使用者の状態に関係するパラメータを算出する。一例として、演算部５０１は、浴室２００で入浴をしている時点での人に関する物理量と、入浴後に脱衣室１００に移動した時点での人に関する物理量と、の差を変化量として算出する。
【００４７】
また、演算部５０１は、単位時間当たりの人に関する物理量の差を、変化量として算出する機能を有していてもよい。記憶部５０２は、各時点での単位時間当たりの上記の変化量が記憶されてもよい。一例として、演算部５０１は、人が浴室２００で入浴をしている時点から入浴後に当該人が脱衣室１００にいる時点までにおける、当該人に関する物理量の単位時間当たりの差を算出する。
【００４８】
また、演算部５０１は、単位時間当たりにおける人に関する物理量の「変化率」を算出する機能を有していてもよい。本開示においては、「人に関する物理量の差」、「人に関する物理量の差の絶対値」、「単位時間当たりの人に関する物理量の差」、「単位時間当たりの人に関する物理量の差の絶対値」、「単位時間当たりにおける人に関する物理量の変化率」等をまとめて、「変化量」と総称している。
【００４９】
なお、演算部５０１は、入浴後に使用者が脱衣室１００にいる間のうちの一定期間における単位時間当たりの変化量を算出してもよい。換言すると、演算部５０１は、入浴後に使用者が脱衣室１００にいる第１の時点から当該使用者が脱衣室１００にいる第２の時点までの変化量を算出してもよい。すなわち、本開示における「基準時点」とは、浴室２００に使用者がいる時点に限られないということである。この基準時点は、入浴前に脱衣室１００に使用者がいる時点でもよい。また、基準時点は、入浴前に使用者が居間３００にいる時点でもよい。
【００５０】
また、演算部５０１によって算出される上記の変化量は、実測値でなくてもよい。換言すると、演算部５０１によって算出される上記の変化量は、推定値であってもよい。例えば、演算部５０１は、生体センサ１１１が検出したパラメータを用いずに、生体センサ２１１が検出したパラメータと生体センサ３１１が検出したパラメータとに基づいて、上記の変化量を算出してもよい。
【００５１】
上記のように、演算部５０１は、ある特定の基準時点から入浴後に脱衣室１００に人がいる時点までの、当該人に関する物理量の変化量を算出する。演算部５０１は、生体センサ１１１が検出したパラメータ、生体センサ２１１が検出したパラメータおよび生体センサ３１１が検出したパラメータから、各種の演算を行う。本実施の形態における、生体センサ１１１、生体センサ２１１、生体センサ３１１および演算部５０１は、基準時点から入浴後に脱衣室にいる時点までの人に関する物理量の変化量、を検出する検出手段の一例である。なお、人に関する物理量の変化量を算出する機能は、生体センサ１１１、生体センサ２１１および生体センサ３１１が有していてもよい。換言すると、本開示における検出手段は、生体センサ１１１と生体センサ２１１と生体センサ３１１とによって構成されていてもよい。
【００５２】
また、制御ユニット５００は、一例として、図２に示すように、判定部５０３および制御部５０４を有している。判定部５０３は、例えば、演算部５０１の算出結果、生体センサ１１１から取得した情報、生体センサ２１１から取得した情報、生体センサ３１１から取得した情報等に基づいて各種の判定を行う機能を有している。また、制御部５０４は、例えば、脱衣室空調機１１０、浴室空調機２１０および居間空調機３１０を制御する機能を有している。
【００５３】
判定部５０３は、少なくとも、演算部５０１によって算出された変化量に基づいて、入浴後に脱衣室１００にいる使用者の状態を判定する機能を有している。なお、判定部５０３は、浴室２００にいる使用者の状態を判定する機能および居間３００にいる使用者の状態を判定する機能を有していてもよい。
【００５４】
制御部５０４は、少なくとも、判定部５０３の判定結果に基づいて脱衣室空調機１１０を制御する機能を有している。制御部５０４は、判定部５０３の判定結果に基づいて浴室空調機２１０を制御する機能を有していてもよい。制御部５０４は、判定部５０３の判定結果に基づいて居間空調機３１０を制御する機能を有していてもよい。
【００５５】
上記の判定部５０３は、検出手段が検出した変化量に基づいて、脱衣室にいる人の状態を判定する状態判定手段の一例である。上記の制御部５０４は、状態判定手段の判定結果に基づいて脱衣室空調機１１０を制御する空調制御手段の一例である。また、判定部５０３および制御部５０４は、検出手段が検出した変化量に基づいて、湯冷めおよびのぼせの少なくとも一方を抑制するように脱衣室空調機１１０を制御する制御手段の一例を構成している。判定部５０３による判定および制御部５０４による制御の具体例については、後述する。
【００５６】
また、制御ユニット５００は、使用者の位置、体位、各部屋における在室状況を判定する機能を有していてもよい。例えば、記憶部５０２には、生体センサ１１１と生体センサ２１１と生体センサ３１１とによって検出された人に関する物理量の情報が、時系列として記憶されてもよい。判定部５０３は、記憶部５０２に時系列として記憶された人に関する物理量の情報に基づいて、使用者の位置、体位、各部屋における在室状況を判定してもよい。
【００５７】
また、本実施の形態において、制御ユニット５００は、図２に示すように、一例として、給湯装置２２１および操作装置４００に接続されている。制御ユニット５００は、例えば、給湯装置２２１から、当該給湯装置２２１の設定値の情報を取得する。この設定値には、例えば、給湯装置２２１が供給する湯温および給湯装置２２１から浴槽２２０へ供給される湯量等が含まれる。また、制御ユニット５００は、例えば、操作装置４００から、使用者による当該操作装置４００の操作に応じた信号を受信する。制御ユニット５００は、この信号に基づいて動作する。
【００５８】
制御ユニット５００に接続された給湯装置２２１は、浴室２００内の使用者の足元へ冷水または温水を選択的に流すことができるように構成される。給湯装置２２１は、例えば、使用者の足元が十分に温まっていない場合には、当該足元へ温水を流す。また、給湯装置２２１は、例えば、使用者がのぼせてしまう可能性がある場合には、当該使用者の足元へ冷水を流す。給湯装置２２１の動作は、制御ユニット５００によって制御される。本実施の形態における給湯装置２２１は、浴室２００に設けられた放水手段の一例である。なお、放水手段は、給湯装置２２１とは別の機器であってもよい。例えば、放水手段は、給湯装置２２１には接続されていない蛇口等から構成されていてもよい。
【００５９】
また、制御ユニット５００に接続された操作装置４００は、使用者に対して報知を行うことができるように構成される。一例として、操作装置４００は、音声報知を行うためのスピーカーまたはブザーを備える。本実施の形態の空調システムは、使用者の状態が異常でないかを判定する機能を有している。この判定は、例えば、判定部５０３によって行われる。この判定の具体例については、後述する。操作装置４００は、使用者の状態が異常であると判定部５０３が判定した場合に、音声報知を行う。操作装置４００による音声報知は、制御ユニット５００によって制御される。本実施の形態における操作装置４００は、報知手段の一例である。なお、報知手段は、操作装置４００とは別の機器であってもよい。例えば、報知手段は、脱衣室空調機１１０、浴室空調機２１０および居間空調機３１０に設けられたブザー等から構成されていてもよい。
【００６０】
図３は、実施の形態１の制御ユニット５００の機能を実現する構成の一例を示す図である。制御ユニット５００の演算部５０１、記憶部５０２、判定部５０３および制御部５０４の機能は、例えば、処理回路により実現される。処理回路は、専用ハードウェア６００であってもよい。処理回路は、プロセッサ６０１およびメモリ６０２を備えていてもよい。処理回路の一部が専用ハードウェア６００として形成され、且つ、当該処理回路は更にプロセッサ６０１およびメモリ６０２を備えていてもよい。図３に示す例において、処理回路の一部は専用ハードウェア６００として形成されている。また、図３に示す例において、処理回路は、専用ハードウェア６００に加えて、プロセッサ６０１およびメモリ６０２を更に備えている。
【００６１】
一部が少なくとも１つの専用ハードウェア６００である処理回路には、例えば、単一回路、複合回路、プログラム化したプロセッサ、並列プログラム化したプロセッサ、ＡＳＩＣ、ＦＰＧＡ、またはこれらを組み合わせたものが該当する。
【００６２】
処理回路が少なくとも１つのプロセッサ６０１および少なくとも１つのメモリ６０２を備える場合、制御ユニット５００の各機能は、ソフトウェア、ファームウェア、またはソフトウェアとファームウェアとの組み合わせにより実現される。
【００６３】
ソフトウェアおよびファームウェアはプログラムとして記述され、メモリ６０２に格納される。プロセッサ６０１は、メモリ６０２に記憶されたプログラムを読み出して実行することにより、各部の機能を実現する。プロセッサ６０１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータあるいはＤＳＰともいう。メモリ６０２には、例えば、ＲＡＭ、ＲＯＭ、フラッシュメモリー、ＥＰＲＯＭおよびＥＥＰＲＯＭ等の不揮発性または揮発性の半導体メモリ、または磁気ディスク、フレキシブルディスク、光ディスク、コンパクトディスク、ミニディスクおよびＤＶＤ等が該当する。
【００６４】
このように、処理回路は、ハードウェア、ソフトウェア、ファームウェア、またはこれらの組み合わせによって、制御ユニット５００の各機能を実現することができる。
【００６５】
なお、図１は、あくまで、空調システムを構成する各要素の配置の一例を示しているものである。上記の実施の形態の説明においても変形例について言及しているように、本開示に係る空調システムの各構成要素の配置は、図１に示すものに限定されない。例えば、居間３００は、脱衣室１００に隣接していてもよい。本開示に係る空調システムは、脱衣室空調機１１０と浴室空調機２１０と居間空調機３１０とのうち、少なくとも脱衣室空調機１１０を備えていればよい。
【００６６】
同様に、図２は、あくまで、空調システムの制御系統の一例を示しているものである。本開示に係る空調システムの制御系統の構成は、図２に示すものに限定されるものではない。空調システムの構成は、制御ユニット５００のような単一の装置により動作が制御される構成に限定されるものではない。空調システムは、複数の装置が連携することにより動作が制御されるように構成されてもよい。
【００６７】
図２に示す一例において、制御ユニット５００は、脱衣室空調機１１０、浴室空調機２１０、給湯装置２２１および居間空調機３１０の外部に設けられている。制御ユニット５００の機能は、例えば、脱衣室空調機１１０、浴室空調機２１０、給湯装置２２１および居間空調機３１０の少なくとも１つに備えられていてもよい。
【００６８】
また、脱衣室空調機１１０、浴室空調機２１０、給湯装置２２１および居間空調機３１０は、有線または無線に接続されていてもよい。脱衣室空調機１１０、浴室空調機２１０、給湯装置２２１および居間空調機３１０は、相互に通信をして連携してもよい。制御ユニット５００の機能は、例えば、脱衣室空調機１１０に内蔵された制御装置、浴室空調機２１０に内蔵された制御装置、給湯装置２２１に内蔵された制御装置および居間空調機３１０に内蔵された制御装置が連携することによって実現されてもよい。
【００６９】
次に、判定部５０３による判定および制御部５０４による制御について、より詳細に説明する。上記したように、判定部５０３および制御部５０４は、湯冷めおよびのぼせの少なくとも一方を抑制するように脱衣室空調機１１０を制御する制御手段の一例を構成している。判定部５０３は、入浴後に脱衣室にいる使用者の状態を判定する。より具体的には、判定部５０３は、入浴後に脱衣室にいる使用者の状態が、のぼせる可能性がある状態なのか、湯冷めする可能性がある状態なのか、を判定する。判定部５０３は、例えば、記憶部５０２にプログラムとして記憶された特定のアルゴリズムに基づいて、上記の判定を行う。
【００７０】
制御部５０４は、入浴後に脱衣室にいる使用者の状態がのぼせる可能性がある状態であると判定部５０３によって判定されると、のぼせを抑制するように脱衣室空調機１１０を動作させる。また、制御部５０４は、入浴後に脱衣室にいる使用者の状態が湯冷めする可能性がある状態であると判定部５０３によって判定されると、湯冷めを抑制するように脱衣室空調機１１０を動作させる。制御部５０４は、例えば、記憶部５０２にプログラムとして記憶された特定のアルゴリズムに基づいて、脱衣室空調機１１０を制御する。
【００７１】
図４は、判定部５０３による判定および制御部５０４による制御の実施例を示す図である。図４に示される実施例において、判定部５０３は、使用者の状態が第１状態であるか第２状態であるか第３状態であるか判定する。第１状態および第２状態は、入浴によって温まりすぎた使用者が入浴後にのぼせてしまう可能性がある状態である。また、第２状態は、使用者の全身のうち、当該全身の末端部位である足元部分が冷えてしまっている状態である。第３状態は、入浴によって十分に温まらなかった使用者が入浴後に湯冷めしてしまう可能性がある状態である。
【００７２】
一例として、入浴後に脱衣室にいる使用者の状態の判定は、図４に示すように、移動前後における物理量の差に基づいて行われる。この「物理量」とは、皮膚温度、心拍数および呼吸数の何れかを意味している。皮膚温度、心拍数および呼吸数のこの何れかは、第１物理量の一例である。「移動前後における物理量の差」とは、入浴直後の時点で浴室２００内にいる人に関する物理量と、当該人が当該浴室２００を出て脱衣室１００へ移動した時点での当該人に関する物理量と、の差を意味している。すなわち、「移動前後における物理量の差」とは、浴室２００から脱衣室１００への移動前後における人に関する物理量の差、を意味している。なお、以下の説明では、記載を簡潔するため、この「移動前後における物理量の差」を、単に「物理量の差」とも称することがある。
【００７３】
上記の物理量の差は、具体的には、入浴後に使用者が脱衣室１００にいる時点で生体センサ１１１が検出した物理量から、使用者が浴室２００にいる入浴直後の時点で生体センサ２１１が検出した物理量を減じることで算出される。
【００７４】
判定部５０３は、上記の物理量の差が閾値以上の正の値である場合には、図４に示すように、使用者の状態が第１状態または第２の状態であると判定する。この閾値は、予め設定される。上記の物理量の差が閾値以上の正の値である場合とは、浴室２００から脱衣室１００への移動前後において上記の物理量が予め設定された基準に比べて大きく上昇した場合を意味している。
【００７５】
浴室２００から脱衣室１００への移動前後において上記の物理量が予め設定された基準に比べて大きく上昇した場合とは、具体的には、浴室２００から脱衣室１００へ移動した使用者の皮膚温度、心拍数および呼吸数等が急激に上昇した場合である。この場合においては、使用者が入浴後にのぼせてしまうことが想定される。
【００７６】
使用者の状態が第１状態または第２状態であると判定部５０３によって判定された場合、制御部５０４は、脱衣室空調機１１０に冷房運転または送風運転を行わせる。脱衣室空調機１１０は、冷房運転または送風運転によって、脱衣室１００にいる入浴後の使用者の体温を下げる。これにより、使用者ののぼせが抑制される。また、のぼせた場合における急激な発汗が抑制されることで、汗冷えよる湯冷めも防止される。また、急激な体温変化による立ちくらみも抑制される。
【００７７】
また、物理量の差が閾値以上の正の値であり、且つ脱衣室１００にいる使用者の足元の温度が予め設定された閾値以下である場合、判定部５０３は、第２の状態であると判定する。脱衣室１００にいる使用者の足元の温度は、生体センサ１１１によって検出される。
【００７８】
使用者の状態が第２状態であると判定部５０３によって判定された場合、制御部５０４は、脱衣室空調機１１０に、脱衣室１００の床付近へ温風を送風させる。これにより、使用者の足元の冷えが改善される。このとき、使用者の足元は冷えているため、当該足元への送風は避けることが好ましい。使用者の状態が第２状態であると判定部５０３によって判定された場合、脱衣室空調機１１０は、一例として、使用者の足元には風を直接あてない風よけ運転を行う。
【００７９】
判定部５０３は、上記の物理量の差が閾値以下の負の値である場合には、図４に示すように、使用者の状態が第３状態であると判定する。この閾値は、予め設定される。上記の物理量の差が閾値以下の負の値である場合とは、浴室２００から脱衣室１００への移動前後において上記の物理量が予め設定された基準に比べて大きく下降した場合を意味している。
【００８０】
浴室２００から脱衣室１００への移動前後において上記の物理量が予め設定された基準に比べて大きく下降した場合とは、具体的には、浴室２００から脱衣室１００へ移動した使用者の皮膚温度、心拍数および呼吸数等が急激に下降した場合である。この場合においては、使用者が入浴によって十分に温まらなかった可能性が高い。すなわち、使用者が入浴後に湯冷めしてしまうことが想定される。
【００８１】
使用者の状態が第３状態であると判定部５０３によって判定された場合、制御部５０４は、脱衣室空調機１１０に暖房運転を行わせる。脱衣室空調機１１０は、暖房運転によって、脱衣室１００にいる入浴後の使用者の体温の低下を抑制する。脱衣室空調機１１０による暖房運転は、例えば、使用者の皮膚温度、心拍数および呼吸数等が予め設定された基準値になった時点で終了する。なお、脱衣室空調機１１０による暖房運転は、使用者に風が直接当たらない風よけ運転であることが好ましい。これにより、使用者が感じる寒さが抑制される。
【００８２】
なお、判定部５０３による判定は、「物理量の差」ではなく、「単位時間当たりの物理量の変化率」によって行われてもよい。例えば、判定部５０３は、単位時間当たりの物理量の変化率が閾値以上である場合には、使用者の状態が第１状態または第２の状態であると判定してもよい。判定部５０３は、単位時間当たりの物理量の変化率が閾値以下である場合には、使用者の状態が第３状態であると判定してもよい。なお、判定部５０３は、物理量の単位時間当たりの物理量の変化率との組み合わせに応じて、使用者の状態を判定してもよい。
【００８３】
また、制御部５０４は、図４に示すように、居間空調機３１０を脱衣室空調機１１０と同様に制御してもよい。換言すると、制御部５０４は、居間空調機３１０を脱衣室空調機１１０に連動させてもよい。これにより、入浴後に脱衣室１００を通過して居間３００に入った使用者の湯冷めおよびのぼせが防止される。
【００８４】
なお、図４は、あくまで本開示に係る空調システムの動作の一例を示すものである。本開示に係る空調システムの動作は、図４に示す例に限られない。例えば、生体センサ１１１、生体センサ２１１および生体センサ３１１が検出する物理量が血圧である場合には、図４に示す例とは異なる判定および制御が実行される。生体センサ１１１、生体センサ２１１および生体センサ３１１は、上記した第１物理量とは異なる物理量を検出してもよい。
【００８５】
本開示において、脱衣室１００にいる使用者の状態の判定は、基準時点から入浴後に使用者が脱衣室１００にいる時点までの物理量の変化量に基づいて行われていればよい。この変化量は、上述したように、入浴後の使用者の状態に関係するパラメータである。また、上述したように、「基準時点」とは、浴室２００に使用者がいる時点に限られない。基準時点は、任意の時点として設定され得る。判定部５０３が使用者の状態の判定を行うためのアルゴリズムは、生体センサ１１１、生体センサ２１１および生体センサ３１１が検出する物理量の種類および上記の基準時点等に基づいて、設定される。また、生体センサ１１１、生体センサ２１１および生体センサ３１１は、例えば、複数種類の物理量を検出してもよい。生体センサ１１１、生体センサ２１１および生体センサ３１１は、上記した第１物理量に加えて、更に別の物理量を検出してもよい。
【００８６】
また、脱衣室１００にいる使用者の状態の判定は、例えば、当該使用者の深部体温の推定値に基づいて行われてもよい。図５は、深部体温推定値と湯温と入浴時間との関係の一例を示す図である。なお、図５はあくまで一例を示すものである。深部体温推定値と湯温と入浴時間との関係は、個人差および浴室２００の環境の差の影響を受ける。
【００８７】
一般的に、使用者が入浴した湯音が高いほど、当該使用者の深部体温はより短時間で高くなる。図５に示す例においては、使用者が４１℃の湯で１０分以下の入浴をした場合、当該使用者の深部体温の推定値は３７．５℃以下であると算出される。深部体温の推定値の算出は、例えば、演算部５０１によって行われる。また、深部体温の推定値を算出するための図５に示すようなデータベースは、例えば、記憶部５０２に予め記憶される。
【００８８】
演算部５０１は、例えば、給湯装置２２１の設定値である湯温と湯量とに基づいて、深部体温の推定値を算出する。演算部５０１は、実際に浴槽２２０に貯められた湯の実測値に基づいて、深部体温の推定値を算出してもよい。浴槽２２０には、一例として、当該浴槽２２０に貯められた湯の温度および量を測るセンサ等が設けられてもよい。また、入浴時間は、例えば、生体センサ２１１が検出したパラメータに基づいて、演算部５０１によって算出される。
【００８９】
一例として、判定部５０３は、深部体温の推定値が予め設定された閾値以上である場合には、使用者の状態が上記の第１状態または第２の状態であると判定する。すなわち、判定部５０３は、深部体温の推定値が予め設定された閾値以上である場合には、使用者の状態はのぼせる可能性がある状態であると判定する。また、判定部５０３は、一例として、深部体温の推定値が予め設定された閾値以下である場合には、使用者の状態が上記の第３状態であると判定する。すなわち、判定部５０３は、深部体温の推定値が予め設定された閾値以下である場合には、使用者の状態は湯冷めする可能性がある状態であると判定する。
【００９０】
次に、図１および図２に示すように構成された空調システムの動作例を、フローチャートを参照して説明する。図６は、実施の形態１の空調システムの動作例を示すフローチャートである。なお、図６は、あくまで、空調システムの動作の一例を示すものである。本開示に係る空調システムの動作は、図６に示すものに限定されない。
【００９１】
図６に示すフローチャートは、開始時点において使用者が居間３００にいることを前提としたものである。まず、使用者が居間３００にいる時点において、生体センサ３１１によって当該使用者の物理量が検出される。生体センサ３１１によって検出された物理量は、平常時のパラメータとして、記憶部５０２に記憶される。本実施の形態の空調システムは、このようにして、平常時の使用者のパラメータを取得する（ステップＳ１０１）。
【００９２】
上記のステップＳ１０１の後、使用者が居間３００を出て脱衣室１００に入室したか否かの判定が行われる（ステップＳ１０２）。Ｓ１０２の判定は、例えば、生体センサ３１１および生体センサ１１１が検出した物理量に基づいて、判定部５０３が行う。ステップＳ１０１およびステップＳ１０２は、図６に示すように、使用者が居間３００を出て脱衣室１００に入室するまで継続される。
【００９３】
使用者が脱衣室１００に入室すると、生体センサ１１１によって当該使用者の物理量が検出される。生体センサ１１１によって検出された物理量は、脱衣室１００での使用者のパラメータとして、記憶部５０２に記憶される。演算部５０１は、脱衣室１００での使用者のパラメータと平常時の使用者のパラメータとの差を算出する（ステップＳ１０３）。
【００９４】
ステップＳ１０３で上記の差が算出されると、この差が予め設定された規定の範囲にあるか否かを判定する。この判定は、異常が発生しているか否かの判定である。例えば、脱衣室１００にいる使用者の体調が急変した場合などにおいて、上記の差は予め設定された規定の範囲を外れる。本実施の形態の空調システムは、このようにして、異常が発生しているかいないかの判定を行う（ステップＳ１０４）。ステップＳ１０４の判定は、例えば、判定部５０３によって行われる。ステップＳ１０４において、異常が発生していると判定した場合、報知手段の一例である操作装置４００によって報知が行われる（ステップＳ１０４ａ）。
【００９５】
ステップＳ１０４において異常が発生していないと判定された場合、使用者が脱衣室１００を出て浴室２００に入室したか否かの判定が行われる（ステップＳ１０５）。Ｓ１０２の判定は、例えば、生体センサ１１１および生体センサ２１１が検出した物理量に基づいて、判定部５０３が行う。ステップＳ１０３からステップＳ１０５は、図６に示すように、使用者が脱衣室１００を出て浴室２００に入室するまで継続される。
【００９６】
使用者が浴室２００に入室すると、当該使用者が浴槽２２０に入ったか否かの判定が行われる（ステップＳ１０６）。ステップＳ１０６の判定は、例えば、生体センサ２１１が検出した物理量に基づいて、判定部５０３が行う。ステップＳ１０６の判定は、使用者が浴槽２２０に入るまで、すなわち、使用者が入浴を開始するまで行われる。
【００９７】
使用者が入浴を開始すると、生体センサ２１１によって当該使用者の物理量が検出される。生体センサ２１１によって検出された物理量は、入浴時の使用者のパラメータとして、記憶部５０２に記憶される。演算部５０１は、入浴時の使用者のパラメータと平常時の使用者のパラメータとの差を算出する（ステップＳ１０７）。
【００９８】
ステップＳ１０７で上記の差が算出されると、ステップＳ１０４と同様に、この差が予め設定された規定の範囲にあるか否かの判定が行われる。この判定は、異常が発生しているか否かの判定である（ステップＳ１０８）。ステップＳ１０８の判定は、例えば、判定部５０３によって行われる。ステップＳ１０８において、異常が発生していると判定された場合、報知手段の一例である操作装置４００によって報知が行われる（ステップＳ１０８ａ）。
【００９９】
ステップＳ１０８において異常が発生していないと判定された場合、使用者が浴槽２２０から出たか否かの判定が行われる（ステップＳ１０９）。Ｓ１０９の判定は、例えば、生体センサ２１１が検出した物理量に基づいて、判定部５０３が行う。ステップＳ１０６の判定は、使用者が浴槽２２０を出るまで、すなわち、使用者が出浴するまで行われる。
【０１００】
使用者が浴槽２２０を出ると、浴室２００内における当該使用者の状態の判定が行われる（ステップＳ１１０）。ステップＳ１１０の判定は、例えば、生体センサ２１１が検出した物理量に基づいて、判定部５０３が行う。
【０１０１】
判定部５０３は、例えば、浴室内２００にいる使用者の皮膚温度、心拍数および呼吸数が予め設定された閾値より高い場合、当該使用者の状態はのぼせている状態であると判定する。判定部５０３は、例えば、浴室内２００にいる使用者の皮膚温度、心拍数および呼吸数が予め設定された閾値より低い場合、当該使用者の状態は湯冷めする可能性のある状態であると判定する。
【０１０２】
浴室２００にいる使用者の状態がのぼせている状態であると判定された場合には、制御部５０４は、例えば、浴室空調機２１０に送風運転を行わせる。これにより、使用者ののぼせが抑制される。また、浴室２００にいる使用者の状態が湯冷めする可能性があると判定された場合には、制御部５０４は、例えば、浴室空調機２１０に暖房運転を行わせる。この暖房運転は、風よけ運転であることが好ましい。これにより、使用者の湯冷めが抑制される。上記のように、本実施の形態において、浴室空調機２１０は、浴室２００にいる使用者の状態に応じて制御される（ステップＳ１１１）。
【０１０３】
なお、上記のステップＳ１１１においては、放水手段の一例である給湯装置２２１による放水が行われてもよい。例えば、生体センサ２１１は、出浴した使用者の足元の温度を検出してもよい。給湯装置２２１は、使用者の足元の温度が予め設定された閾値以上である場合には、冷水を放水する。これにより、使用者ののぼせがより効果的に抑制される。また、給湯装置２２１は、使用者の足元の温度が予め設定された閾値以下である場合には、温水を放水する。これにより、使用者の足元の冷えが抑制される。
【０１０４】
上記のステップＳ１１１の後、ステップＳ１０４およびステップＳ１０８と同様に、異常が発生しているか否かの判定が行われる（ステップＳ１１２）。ステップＳ１１２の判定は、例えば、生体センサ２１１が検出した物理量および予め設定されたアルゴリズム等に基づいて、判定部５０３が行う。例えば、判定部５０３は、入浴中の使用者の物理量の単位時間当たりの変化率が予め設定された閾値以上であった場合には、異常が発生していると判定する。ステップＳ１１２において、異常が発生していると判定された場合、報知手段の一例である操作装置４００によって報知が行われる（ステップＳ１１２ａ）。
【０１０５】
ステップＳ１１２において異常が発生していないと判定された場合、使用者が浴室２００から退出したか否かの判定が行われる（ステップＳ１１３）。ステップＳ１１３の判定は、例えば、生体センサ２１１および生体センサ１１１が検出した物理量に基づいて、判定部５０３が行う。ステップＳ１１０からステップＳ１１３は、図６に示すように、使用者が浴室２００を退出するまで行われる。
【０１０６】
使用者が浴室２００を退出して、脱衣室１００に入ると、当該使用者の状態の判定が行われる（ステップＳ１１４）。また、ステップＳ１１４における判定結果に基づいて、脱衣室空調機１１０が制御される（ステップＳ１１５）。ステップＳ１１４の判定およびステップＳ１１５の制御は、一例として、図４に示したように行われる。これにより、入浴後における使用者の湯冷めおよびのぼせが防止される。
【０１０７】
なお、本開示に係る空調システムは、必ずしも、湯冷めとのぼせとの両方を抑制するものでなくともよい。本開示に係る空調システムは、入浴後の湯冷めとのぼせとの少なくとも一方を抑制可能に構成されていればよい。ステップＳ１１５において、脱衣室空調機１１０は、入浴後の湯冷めとのぼせとの少なくとも一方を抑制するように動作すればよい。
【０１０８】
上記のステップＳ１１５の後、ステップＳ１１２と同様に、異常が発生しているか否かの判定が行われる（ステップＳ１１６）。ステップＳ１１６の判定は、例えば、生体センサ１１１が検出した物理量および予め設定されたアルゴリズム等に基づいて、判定部５０３が行う。ステップＳ１１６において、異常が発生していると判定された場合、報知手段の一例である操作装置４００によって報知が行われる（ステップＳ１１６ａ）。
【０１０９】
ステップＳ１１６において異常が発生していないと判定された場合、使用者が居間３００に入室したか否かの判定が行われる（ステップＳ１１７）。ステップＳ１１７の判定は、例えば、生体センサ１１１および生体センサ３１１が検出した物理量に基づいて、判定部５０３が行う。ステップＳ１１４からステップＳ１１７は、図６に示すように、使用者が居間３００に入室するまで行われる。
【０１１０】
使用者が居間３００に入室すると、居間３００内における当該使用者の状態の判定が行われる（ステップＳ１１８）。ステップＳ１１８の判定は、例えば、生体センサ３１１が検出した物理量に基づいて、判定部５０３が行う。ステップＳ１１８の判定は、一例として、ステップＳ１１０と同様に行われる。このステップＳ１１８の判定結果に基づいて、居間空調機３１０が制御される（ステップＳ１１９）。なお、ステップＳ１１９において、居間空調機３１０は、図４に示したように、脱衣室空調機１１０に連動するように制御されてもよい。
【０１１１】
上記のステップＳ１１９の後、ステップＳ１１２およびステップＳ１１６と同様に、異常が発生しているか否かの判定が行われる（ステップＳ１２０）。ステップＳ１２０の判定は、例えば、生体センサ３１１が検出した物理量および予め設定されたアルゴリズム等に基づいて、判定部５０３が行う。ステップＳ１２０において、異常が発生していると判定された場合、報知手段の一例である操作装置４００によって報知が行われる（ステップＳ１２０ａ）。
【０１１２】
以上に示したように、本実施の形態の空調システムによれば、入浴後における湯冷めおよびのぼせの少なくとも一方を抑制することができる。また、使用者の異常を検出し、この異常を報知することもできる。
【符号の説明】
【０１１３】
１００  脱衣室、  １１０  脱衣室空調機、  １１１  生体センサ、  ２００  浴室、  ２１０  浴室空調機、  ２１１  生体センサ、  ２１２  ファン、  ２２０  浴槽、  ２２１  給湯装置、  ２２２  追い焚き配管、  ３００  居間、  ３１０  居間空調機、  ３１１  生体センサ、  ４００  操作装置、  ５００  制御ユニット、  ５０１  演算部、  ５０２  記憶部、  ５０３  判定部、  ５０４  制御部、  ６００  専用ハードウェア、  ６０１  プロセッサ、  ６０２  メモリ
【図１】
2019203640.tif 000003
【図２】
2019203640.tif 000004
【図３】
2019203640.tif 000005
【図４】
2019203640.tif 000006
【図５】
2019203640.tif 000007
【図６】
2019203640.tif 000008